(57)【要約】  本発明は、情報媒体、例えばＣＤまたはＤＶＤのような情報媒体にデータを記録する方法に関し、データを非公認複製から保護し、データ記憶媒体を識別し、データを確認するのに用いられうる。本発明の方法は、データファイルを第１データセクタシーケンスの形態で形成し、該シーケンスのセクタアドレスを一連の自然数の形態で表され、スパイラルトラックにそれぞれのアドレスを有する形成されたセクタの該第１シーケンスを記録することに存する。加えて、第１セクタシーケンスを形成中、セクタアドレスが少なくとも部分的に第１シーケンスのセクタアドレスと一致している第２データセクタシーケンスを少なくとも１つ形成し、一致しているアドレスの数はＣに等しく、また該セクタのアドレスに相当するエリアにあるスパイラルトラックの２つの隣接したターンに記録されたデータセクタの数以上である。キーデータは一致アドレスを有するセクタに登録される。ディスクからデータを読み取るには、いかなるデジタル読み取り器を用いてもよい。【特許請求の範囲】
【請求項１】
ファイルがデータを有するセクタの第１シーケンスを含み、そのセクタのアドレスが一連の自然数を表す、記録するためのデータファイルが形成される媒体に、データを記録する方法であって、
適切なアドレスを有する形成されたセクタの第１シーケンスをスパイラルトラックに記録するための方法であって、
データを有するセクタの少なくとも１つの第２シーケンスが形成され、該ファイルに記録された後、形成されたファイルが媒体に記録され、
第２シーケンスのセクタのアドレスは少なくとも部分的に第１シーケンスのセクタのアドレスと適合し、
適合アドレスの数は「ｃ」であり、また少なくともこれらのセクタのアドレスに相当するエリアにおけるスパイラルトラックの２つの隣接したターンに記録されたデータセクタの数と等しく、
第２シーケンスの第１セクタのアドレスが第１シーケンスの最終セクタのアドレスから該数値「ｃ」を引いたものと等しくなるように選択され、
該アドレスを有する第２シーケンスのセクタが、読み取りの第１シーケンスのセクタのアドレスが記録され、第１シーケンスのセクタのアドレスが指定された後に記録されることを特徴とする、方法。
【請求項２】
記録のためのデータがユーザデータおよびキーデータを含み、ユーザデータが第１セクタシーケンスおよび非適合セクタドレスを有する第２シーケンスを形成および記録するためのものであり、キーデータが適合アドレスを有する第２シーケンスのセクタを形成および記録するためのものであることを特徴とする、請求項１に記載の方法。
【請求項３】
媒体がデータとして認識されること、またはキーデータが第２スパイラルトラックから読み取られることを特徴とする、請求項１または２に記載の方法。
【請求項４】
第２シーケンスの該セクタが第１シーケンスのセクタの後、間隔を有して記録されることを特徴とする、請求項１または２または３に記載の方法。
【請求項５】
蛇行形のデジタル信号がスパイラルトラック上の該間隔に記録されることを特徴とする、請求項４に記載の方法。
【請求項６】
セクタドレスが一連の自然数を表す、データを有するセクタの第１シーケンスとしての記録のためにデータファイルが形成されている、媒体にデータを記録する方法であって、
スパイラルトラック上に適切なアドレスを有する形成されたセクタの第１シーケンスを記録する方法であって、
適切なアドレスを有するセクタの第２シーケンスが形成され、
記録手段が第１スパイラルトラックに第１の形成されたシーケンスを、特定のアドレスＡ１を有し、記録されたデータを有するスパイラルトラックの隣接したターン間の初期プリセット距離を有するセクタまで記録し、次いで該距離が記録の過程において、スパイラルトラックのターン間の初期プリセット距離の約２倍の値まで変更され、
第１シーケンスが第１トラックの適切なターンからの初期プリセット距離で第１トラック上にまだ記録されている間に、第２記録手段が設定され、
データが、それぞれ第１スパイラルトラックおよび第２スパイラルトラック上の第１シーケンスおよび第２シーケンスにおけるセクタに平行して記録され、
セクタＡ２≧Ａ１+Ｃが記録されると（ただし、Ｃはスパイラルトラックの２つ隣接したターンに記録されうるデータセクタの数である）、第２トラックへの記録は停止し、第１トラックのターン間の距離は、初期プリセット距離に変更され、第１シーケンスのセクタの記録は継続され、
第１シーケンスのセクタのアドレスと、Ａ１からＡ２までの第１および第２スパイラルトラック上の第２シーケンスのセクタのアドレスとが、適合することを特徴とする、方法。
【請求項７】
ディスクに記録するためのデータがユーザデータおよびキーデータを含み、ユーザデータはセクタの第１シーケンスを形成および記録するためのものであるのに対し、キーデータは第２シーケンスにセクタを形成および記録するためのものであることを特徴とする、請求項６に記載の方法。
【請求項８】
データまたはキーデータが第２スパイラルトラックから読み取られるにつれて、媒体が認識されることを特徴とする、請求項６または７に記載の方法。
【請求項９】
適切なアドレスを有する形成されたセクタの第１シーケンスをスパイラルトラックに記録するための、セクタドレスが一連の自然数を表す、データを有するセクタの第１シーケンスとしての記録のためのデータファイルが形成されている、認識を可能にするデータ記録方法であって、
適切なアドレスを有するセクタの第２シーケンスが形成され、
第１に形成されたシーケンスが、指定アドレスＡ１を有し、また第１スパイラルトラックの隣接したターン間の初期プリセット距離を有するセクタまで記録され、
次いで、該距離が記録の過程において、初期プリセット距離の少なくとも２倍の値へと増大され、
アドレスＡ２≧Ａ１+Ｃを有する第１シーケンスのセクタが記録された後、該距離は初期プリセット距離に変更され、第１シーケンスの記録は終わりまで継続され、
第１シーケンスが第１スパイラルトラックに記録されると、記録手段はアドレスＡ１を有するセクタが記録された領域に戻り、書き込みヘッドが第１スパイラルトラックの回転のターン間の初期プリセット距離の値によって、第１スパイラルトラックに対してオフセットされ、
セクタの第２シーケンスが、第１スパイラルトラックのターン間にある間隔に記録され、セクタＡ≧Ａ１+Ｃが記録されたとき、第２トラックへの記録は停止し（ただし、Ｃは該アドレスを有するセクタの領域にあるスパイラルトラックの２つの隣接したターンに記録されうるデータセクタの数である）、
第１シーケンスのセクタがＡ１からＡ２までの第１および第２スパイラルトラック上の第２シーケンスのセクタと適合することを特徴とする方法。
【請求項１０】
記録するためのデータがユーザデータおよびキーデータを含み、ユーザデータはセクタの第１シーケンスを形成および記録するためのものであるのに対し、キーデータは第２シーケンスのセクタを形成および記録するためのものであることを特徴とする、請求項９に記載の方法。
【請求項１１】
データまたはキーデータが第２スパイラルトラックにおいて読み取られるにつれて、媒体が認識されることを特徴とする、請求項９または１０に記載の方法。
【発明の詳細な説明】
【技術分野】
【０００１】
発明の分野
本発明群は、データを同心円状に記録する、媒体にデータを記録する方法に関する。これらの媒体は、例えばＣＤまたはＤＶＤディスクでありうる。本発明群は、同心円状に記録されたデータを違法複製から保護するために用いることができる。本発明はさらに、媒体を認識する、すなわち、例えばユーザーが合法かもしくは違法な媒体を有しているかどうかを判断する手段として用いることができる。これらの方法はさらになお、キーデータを認識することによって媒体に記録されたデータを検証するために、用いることができる。
【背景技術】
【０００２】
背景技術
ＣＤディスクに記録する方法は公知であるが、その方法においてはＣＤの真正を特別な装置を用いて検証し、それにより違法複製を真正なものとして用いること、およびディスクに記録されたものを改竄することが可能となっている。
【０００３】
ディスクに記録された情報を違法複製から保護するためにＣＤ−ＲＯＭディスクにプログラム（保護アプリケーションを含む）を書き込むことに基づいて、ＣＤ−ＲＯＭディスクに記録する方法は公知であり、そのコストは安価である。このプログラムアプリケーションは「保護キー」を扱うように設計されている。ディスクはチェックリングを形成するように製造中に特別に処理されている。このシステムは、チェックリングの真正を検証するために、特別な方法を用いる。真正検証を用いるチェックリングを挿入すれば、たとえ非常に高性能な記録装置でもＣＤ−ＲＯＭディスクを複製することはできなくなる。
【０００４】
本方法は他の保護方法と比べて、低コストで優れた保護といったような多くの利点を提供する。
【０００５】
本方法は、ＣＤ−ＲＯＭを扱うように、およびＤＯＳまたはウィンドウズにて動作するように設計されたＰＣソフトウェアを保護するためにも用いられうる（米国特許第６，１０１，４７６号明細書、Ｇ０６  Ｆ１７／６０、２０００年８月８日）。
【０００６】
公知の方法は２つの特徴を有する：ＣＤディスクを製造する特別な様式およびディスク真正を調べるためのソフトウェア。
【０００７】
ＣＤ−ＲＯＭディスクに書き込まれた読み取り専用のデータを記録する方法は公知であり、それにより様々なチェック（キー）データが読み取りのためのデータに加えてディスクに書き込まれる。このキーデータは展開されて、読み取りのためのデータを復元するのに用いられるが、そのＣＤ−ＲＯＭディスクを複製しようとするとキーデータは消失する（国際公開第００／４０５３号パンフレット、Ｇ１１  Ｂ  ２０／００、２０００年４月１３日；国際公開第００／６２２９３号パンフレット、Ｇ  １１  Ｂ  ２０／００、２０００年１０月１９日；および国際公開第００／２１０８６号パンフレット、Ｇ  １１  Ｂ  ２０／００、２０００年４月１３日）。
【０００８】
本発明のもっとも近い先行技術は、米国特許第６，１０１，４７６号明細書に従うデータ保護の方法である。
【０００９】
該先行技術の方法の不利点はディスク認証ソフトウェアが存在することである。これにより製造コストが増大する一方で、ディスク表面の一部が認証プログラムを書き込むために用いられるため、有用な情報を記録するための表面領域が削減される。
【００１０】
発明の要旨
特許請求の範囲に記載されているデータ記録方法の技術的な効果は、いかなるデジタル読み取り装置を用いてもディスクからデータを読み取ることができるため、記録方法の適用領域が広がるということである。この特徴は検証手順を簡素化し、すべてのサービス装置のコストを減じる。
【００１１】
したがって、複製に対する保護レベルは大幅に上がった。
【００１２】
特許請求の範囲に記載されている方法のもうひとつの技術的効果は、媒体に記録されたデータ保護の強化であり、違法に作られた複製からデータを読み取ることが不可能になる。本方法によれば、例えば欠陥を検出するために製造中に、若しくは、例えばＣＤ−ＲＯＭドライバのような標準読み取り装置による再生中に、そのような媒体を品質調整機器でチェックするときに、いかなる記録エラーも出ないようにすることができる。本方法は、そのような媒体に記録されたデータが合法的に作られたオリジナルディスクからのみ読み取ることができるということを確実にする。
【００１３】
一方、データを、例えば初期の記録規格を維持するハードディスクなどに複製することは依然可能である。しかし、例えばＣＤ−ＲＯＭドライバなどを用いてさらに利用するために、これらのデータを検索するには、オリジナルディスクの存在が必要である。
【００１４】
第１の実施形態の技術的効果は、以下の事項によって実現される：データ記録方法において、記録するためにデータファイルは形成され、記録はデータを有するセクタの第１シーケンスを含み、そのセクタアドレスは一連の自然数を表す。および適切なアドレスを有する形成されたセクタの第１シーケンスをスパイラルトラックに記録する。そのように形成されたファイルは、データセクタの第２シーケンスを少なくとも１つ形成し、該ファイルに記録した後に媒体に書き込まれ、第２シーケンスのセクタのアドレスは少なくとも部分的に第１シーケンスのセクタのアドレスと適合し、適合アドレスの数は「ｃ」であり、またこれらのセクタのアドレスに相当するエリアにおけるスパイラルトラックの２つの隣接したターンに記録されたデータセクタの数と少なくとも等しく、一方、第２シーケンスの第１セクタのアドレスは第１シーケンスの最終セクタのアドレスから該数値「ｃ」を引いたものと同等になるように選択され、かつ該アドレスを有する第２シーケンスのセクタは、第１シーケンスのセクタが記録された後に書き込まれる。
【００１５】
この過程において、記録するためのデータとはユーザデータおよびキーデータのことであり、ユーザデータはセクタの第１シーケンスおよび非適合セクタアドレスを有する第２シーケンスを形成および記録するためのものであるのに対し、キーデータは適合アドレスを有する第２シーケンスのセクタを形成および記録するためのものである。
【００１６】
データ媒体はデータまたは第２スパイラルトラックのキーデータを読み取る間に認識される。それらのアドレスは第１シーケンスのものと適合する。
【００１７】
特許請求の範囲に記載されている本方法の実施形態において、上述の第２シーケンスのセクタは、第１シーケンスのセクタの後に、間隔を有して書き込まれてもよい。
【００１８】
蛇行形のデジタル信号は、スパイラルトラックの間隔中に記録されてもよい。
【００１９】
第２の実施形態の技術的効果は、以下の事項によって実現する：セクタアドレスが一連の自然数を表すデータセクタの第１シーケンスとして記録するためのデータファイルを形成することからなるデータ記録方法において、第１記録手段は適切なアドレスを有して形成されたセクタの第１シーケンスを第１スパイラルトラックに書き込み、適切なアドレスを有するセクタの第２シーケンスが形成され、形成された第１シーケンスは指定アドレスＡ１を有し、また記録されたデータを有するスパイラルトラックの隣接するターン間の初期プリセット距離を有するセクタまで記録される。そしてさらにこの距離は記録の過程において、スパイラルトラックのターン間の初期プリセット距離の約２倍の値まで変更され、第１トラックにおける第１シーケンスの記録は継続される。第２記録手段は、第１トラックの適切なターンからの、初期プリセット距離に設定され、データは第１シーケンスのセクタの第１スパイラルトラックおよび第２シーケンスのセクタの第２スパイラルトラックに平行して書き込まれる。セクタＡ２≧Ａ１+Ｃが記録されると（ただし、Ｃはスパイラルトラックの２つの隣接したターンに記録されうるデータセクタの数である）、第２トラックへの記録は停止し、第１トラックのターン間の距離は、初期プリセット距離の値に変更され、第１シーケンスのセクタの記録が再開される。第１シーケンスのセクタのアドレスとＡ１からＡ２のアドレスを有する第２シーケンスは適合される。
【００２０】
この過程において、記録するためのデータとはユーザデータおよびキーデータのことであり、ユーザデータはセクタの第１シーケンスを形成および記録するためのものであるのに対し、キーデータは第２シーケンスのセクタを形成および記録するためのものである。
【００２１】
データ媒体は指定のデータまたは第２スパイラルトラックのキーデータとともに認識される。
【００２２】
第３の実施形態の技術的効果は、以下の事項によって実現する：セクタアドレスが一連の自然数を表すデータを有するセクタの第１シーケンスとして記録するためのデータファイルを形成することからなるデータ記録方法において、適切なアドレスを有して形成されたセクタの第１シーケンスは第１スパイラルトラックに記録され、適切なアドレスを有するセクタの第２シーケンスが形成され、第１に形成されたシーケンスは、指定アドレスＡ１を有し、また第１スパイラルトラックの隣接したターン間の初期プリセット距離を有するセクタまで記録される。それから、この距離は記録の過程において、少なくとも初期プリセット距離の２倍の値へと変更される。アドレスＡ２≧Ａ１+Ｃを有する第１シーケンスのセクタが書き込まれた後、この距離は初期プリセット値に変更され、第１シーケンスの記録は終わりまで継続される。第１シーケンスが記録された後、記録手段はスパイラルトラックのアドレスＡ１を有する記録されたセクタの領域に戻り、この手段は第１スパイラルトラックの回転のターン間の初期プリセット距離の値だけ、第１トラックに対してオフセットされている。そしてセクタの第２シーケンスは、第１シーケンスの記録されたセクタを有する第１スパイラルトラックのターン間の間隔に記録される。セクタＡ≧Ａ１+Ｃが書き込まれたとき、第２トラックへの記録は停止する（ただし、Ｃはスパイラルトラックの２つの隣接したターンに記録されうるデータセクタの数である）。
【００２３】
ここで、ディスクに記録するためのデータとはユーザデータおよびキーデータのことであり、ユーザデータはセクタの第１シーケンスを形成および記録するためのものであるのに対し、キーデータは第２シーケンスのセクタを形成および記録するためのものである。データが第２スパイラルトラックから読み取られるにつれて、認識が行われる。
【実施例】
【００２４】
第１の実施形態による方法は、スパイラルトラックへの記録データが、データを有するセクタとしてこのトラックのターンを形成するということに基づいている。データは、アドレスを付与されたデータセクタのシーケンスであるファイルとして形成される。かかるセクタのアドレスのシーケンスは通常、一連の自然数である。読み取りデバイスの具体的特徴は、特定のセクタアドレスが指定および検索されたとき、読み取りデバイスが最新の位置に対するそれ自体の動きを計算し、スパイラルトラックの隣接したターンに記録されたセクタの数と等しい、またはそれに相当する数値「ｃ」以上のセクタ数だけ、トラックの半径に沿って動くことができるということである。
【００２５】
これらの必要条件を仮定して、本方法の第１の実施形態を提示する。それにおいては、データファイルはデータが記録される前にデータの第１シーケンスとして形成され、セクタのアドレスは、例えば以下の形式：
Ｎ、Ｎ+１、Ｎ+２、…、Ｎ+ｎ…
の一連の自然数を表す。
【００２６】
次いで、データセクタの少なくとも１つの第２シーケンスは以下のように形成される：
Ｎ+１、Ｎ+２、…、Ｎ+ｎ、Ｎ+ｎ+１、Ｎ+ｎ+２、…
そしてセクタのアドレスＮ+１、Ｎ+２、…、Ｎ+ｎは、少なくとも部分的に第１シーケンスのセクタのアドレスと適合する第２シーケンスである。適合アドレスの数は、スパイラルトラックの任意の２つの隣接したターンに記録されたデータセクタの数に相当する「ｃ」と等しいか、または同じオーダーである。一方、第２シーケンスにおける第１セクタのアドレスＮ+１は、第１シーケンスの最終セクタＮ+ｎのアドレスから数値「ｃ」を引いたものに等しくなるよう選択され、上述のファイルは第１シーケンスのセクタが記録された後、これらのアドレスを有する第２シーケンスのセクタを記録することによって形成される。その後、そのようにして形成されたファイルは媒体に書き込まれる。媒体は標準読み取り装置によって読み取られるにつれて検証される。
【００２７】
媒体を製造しユーザデータを記録する際、読み取り器制御コンピュータのメモリへ再書き込みされるべき読み取りプログラムデータ（このデータは媒体からデータを読み取るのに用いられる）もまたディスクに記録されるということは注目すべきことである。
【００２８】
したがって、読み取りプログラムのデータ（適合アドレスを有するセクタについてのデータも含む）を用いて、データは媒体から読み取られる。適合アドレスの助けを借りて読み取り器はディスクの正当性を判断し、またユーザデータの使用を保証するためにキーデータを利用する。
【００２９】
第１の実施形態による読み取りは、以下のようにして行うことができる。特定のセクタアドレスを検索する際、読み取り器はその最新の位置（通過した最後のアドレス）に対する読み取りヘッドの相対的な動きの値を計算する。
【００３０】
読み取りプログラムに基づく、読み取り器によるデータ読み取りのシーケンスは、以下の通りである。
【００３１】
第１シーケンスのセクタのアドレスであって、第２シーケンスのアドレスと適合しないものは、読み取りヘッド（最新の読み取りアドレスに結合する）の間接的な位置合わせのために特定される。その後、第１シーケンスのセクタのアドレスであって、適合アドレスのうちの１つであるものが特定され、第１シーケンスのこのセクタが検出される。その次に、第２シーケンスのセクタのアドレスであって、第１シーケンスのアドレスと適合しないものは、第２シーケンスの特定されたアドレスを有するキーデータを含むセクタが検出されるとすぐに特定される。第１シーケンスおよび第２シーケンスのこれらの適合アドレスと適合アドレスが特定されたとき、キーデータはデータのさらなる使用を提供する。
【００３２】
上述されているように、媒体に記録するための標準データとしては、ユーザデータおよびキーデータが挙げられ、ユーザデータは、例えばセクタの第１シーケンスを形成および記録するために用いられ、一方、キーデータは適合アドレスを有する第２シーケンスのセクタを形成および記録するためのものである。そして、第２シーケンスは、適合アドレスを有するセクタに加えて、ユーザデータもまた含みうる。媒体を違法に製造しようとすると、第２シーケンスの適合アドレスを有するセクタのデータは失われるので、データが媒体に書き込まれるのに従って、第１および第２シーケンスの適合アドレスを有するセクタに、キーデータが記録されることが好ましいということは注目すべきことである。
【００３３】
本方法は、複製に対する追加の保護を伴って実現させることができる。この目的のため、第２シーケンスの該セクタは、第１シーケンスのセクタの後に間隔において記録される。
【００３４】
この間隔は、蛇行形でスパイラルトラックに記録されるデジタル信号であってもよく、この信号は複製のためのデータの読み取りをよりさらに困難にするだろう。
【００３５】
つまり、データは、シーケンス間の自動的「ギャップ」期間分の短い遅れを伴って、第１シーケンスと第２シーケンスとの間に記録されうる。この場合、第２シーケンス中の適合アドレスにおける適合アドレスを有するセクタのデータは、（違法ディスクへの）複製の過程においては読み取られることはないだろう。
【００３６】
言い換えれば、「穴」（つまり、データの欠如）をセクタの第１シーケンスと第２シーケンスとの間に挿入すると、結果としてかかる「穴」を有するディスクの複製に対する試みに耐え、「読み取られる」セクタ由来のこれらのデータが、「穴」の代わりにディスクの複製へ書き込まれるだろう。そして「穴」を超えたセクタの特定の部分由来のデータ（つまり、適合アドレスを有するデータ）は失われるだろう。
【００３７】
したがって、自らのアドレスが特定のシーケンス（１）、（２）、または、トラックの適切な領域における失われたデータ（つまり「穴」）を有するセクタのシーケンスをなすセクタへデータを記録することは、複製に対してディスク上のデータをさらにより良好に保護することを保証しうる。なぜなら、もしディスクが合法的であれば、記録の特別な特徴を考慮に入れた読み取りプログラムによりデータは読み取られるだろうし、それゆえに、そのようにして読まれたデータがさらに用いられる一方で、キーデータは（違法ディスクへの）複製において失われるだろうからである。よって、データ媒体の認識を含む検証は、データ読み取りの間に行われる。これはつまり、もしディスクが違法であれば、オリジナル記録の特別な特徴なしで標準読み取り装置によって複製時に読み取られることになり、したがってデータはそれ以降使用不可能になるということである。
【００３８】
第２および第３の実施形態の方法の実現は以下の動作を含む。
【００３９】
データがディスクに記録されるにつれて、スパイラルトラックが形成されるということは繰り返す価値がある。列になって配置されているピットは、デジタル形式の適切な情報を有する記録トラックを形成する。ピットの最小の長さは０．９ミクロンである。デジタルディスクにおけるトラックの隣接するターン間の距離は１．６ミクロンであり、これは約６２５トラック（トラックの回転）／１ｍｍに相当する。レーザでディスクをスキャンすると、その光線はピットを有さない領域では完全に反射されるが、ピット領域は光線を散乱させる。そしてこれらの信号は光電検出器にて感知され、適切なデジタル信号に変換される。その後この信号を用いて、読み取られたデータを音、画像などに変換する。さらに、光ディスクからのデータ読み取りは、ディスクのデータを含むスパイラルトラックに関して読み取りヘッドを動かす、プリセットされた読み取りプログラムによって制御される。
【００４０】
現代のデジタル読み取り器プレーヤーは、記録フラグメント（セクタアドレス）の始まりを検出することができ、セクタ中のデータを読み取ることができるので、読み取り過程を制御することができる。ゆえに、標準記録装置および標準読み取り装置を用いて、異なったディスク記録の変更点を有することが可能である。例えば、追加のトラックを挿入する際、データはトラック上に記録することができる。ただし、この場合、ディスク記録密度の必要要件を考慮にいれる必要がある。
【００４１】
さらに、データを媒体から読み取るため、読み取り装置を制御するコンピュータのメモリは、データ読み取り過程においてコンピュータメモリに記憶されるべき媒体からのデータもまた読み取る読み取りプログラムを含む。このデータは媒体に記録されたデータを用いるためのものである。
【００４２】
この事情に鑑みて、第２の実施形態の記録方法は、以下のように用いることができる。まず初めに、ユーザデータおよびキーデータ（つまり、媒体に記録されるべきデータ）はユーザデータを有するセクタの第１シーケンスとしてデータファイルを形成する。第１シーケンスのセクタのアドレスは通常、一連の自然数を表し、さらにキーデータを有するセクタの第２シーケンスを形成する。セクタには適切なアドレスが付与される。
【００４３】
このようにして形成された、適切なアドレスを有するセクタの第１シーケンスは、第１スパイラルトラックとして記録され始め、スパイラルトラックの隣接したターン間の標準距離（ピッチ）（初期プリセット距離は通常約２．４ミクロンである）を伴い記録手段によって記録は行われる。データが例えばアドレスＡ１を有するセクタに記録されるにつれ、上記の距離は記録の過程において、初期プリセット距離の約２倍の値まで徐々に変更され、第１シーケンスのデータは第１トラックに記録される。次いで、まだ何のデータも記録されていない領域において、第１スパイラルトラックのターンからの初期プリセット距離で第２記録手段が作動し始める。そして第２セクタシーケンスのデータが、第１トラック上の記録と平行して第１トラックのターン間に位置する第２スパイラルトラック上の第２記録手段によって記録され始める。上述したように、第１シーケンスおよび第２シーケンスの記録されたデータを有する、第１トラックおよび第２トラックのターン間の距離は、初期プリセット距離に相当する。セクタＡ２≧Ａ１+Ｃが記録されると（ただし、Ｃはスパイラルの２つの隣接したターン上に記録されうるデータセクタの数である）、第２トラックでの記録は停止し、第１トラックのターン間の距離は初期プリセット距離の値に変更され、そして第１シーケンスにおけるセクタの記録が再開する。Ａ１からＡ２の第１および第２トラック上の、第１シーケンスのアドレスおよび第２シーケンスのアドレスは適合する。
【００４４】
したがって、おおよそＡ１からＡ２のセクタのアドレスから始まる、媒体の２つのトラック上のスパイラルトラックの領域に、データは記録されるだろう。上述したとおり、ユーザデータは第１トラック上に記録されるのが好ましく、一方、キーデータは第１トラックのターン間の第２の追加トラック上に記録されるのが好ましい。本方法の第３の実施形態は、データを第１および第２トラック上に記録する際の動作の流れにおいて、第２の実施形態と異なる。
【００４５】
第３の実施形態においてもまた、データファイルは初めに、例えば一連の自然数を表している適切なアドレスを付与された、データを有するセクタの第１シーケンスとして形成される。データセクタの第２シーケンスもまた形成され、該セクタは適切なアドレスを付与されている。１つの記録手段がこの方法では用いられる。この記録手段の助けを借りて、データは媒体へ記録される。適切なアドレスを有する形成されたセクタの第１シーケンスは、第１スパイラルトラックの形態で記録される。第１に形成されたシーケンスは、指定アドレスＡ１を有し、記録されたデータを有するスパイラルトラックの隣接したターン間の初期プリセット距離を有したセクタに至るまで記録される。次いで、この距離は第１トラックの隣接したターン間の初期プリセット距離の２倍の値まで記録の過程において増大し、記録はアドレスＡ２≧Ａ１+Ｃまで継続される。そこでこの距離は初期プリセット距離に変わり、第１シーケンスの第１トラックへの記録が再開される。第１シーケンスが記録された後、記録手段は第１トラックのターン間の増大した距離を有するセクタＡ１のアドレスの領域へ移動され、セクタの第２シーケンスが記録される。
【００４６】
このように、セクタの第１シーケンスおよびセクタの第２シーケンスのデータは、アドレスＡ１を有するセクタから始まりアドレスＡ２を有するセクタまで、媒体へと記録される。つまり、第２シーケンスのセクタのデータは、第１シーケンスのセクタの記録されたデータを有する第１トラックのターン間の間隔に記録され、第１シーケンスのセクタのアドレスおよび第２シーケンスのセクタのアドレスは、この領域のＡ１からＡ２の第１および第２トラック上で適合する。
【００４７】
第２の実施形態および第３の実施形態において、媒体に記録されたデータは、以下の通り、読み取り装置でデータを読み取っている間に検証される。
【００４８】
すでに述べたように、隠しデータ（通常、キーデータである）は、第１スパイラルトラックのターン間に配置されている第２スパイラルトラックにおいて媒体へ記録される。
【００４９】
この領域では、第１トラック上に記録された第１シーケンスのセクタのアドレスと、第２トラック上に記録された第２シーケンスのセクタのアドレスとは適合する。これらはＡ１からＡ２までのアドレス（ただし、Ａ２≧Ａ１+Ｃであり、Ｃはセクタの数である）であり、適切なアドレスの領域におけるトラックの２つの隣接したターンに記録されうる。この領域のアドレスの特定のシーケンスを読み取り装置へ特定することによって、第２トラック上に記録されたデータの第２シーケンスにおけるＡ１からＡ２までのアドレスの１つを有するセクタは、連続的な近似で検出されうる。それは以下のようになされる。間接的な位置付けが、例えばＡ１までのアドレスを伴う、例えば第１シーケンスにおけるセクタを検出することによって行われる。この場合、読み取り装置は、例えば第２トラックに関して同心の記録の中心に向けて配置される。
【００５０】
値「ｃ」によって特定されたアドレスよりアドレスが小さいセクタを有するトラックにおける記録された領域へ移動するためデータを読み取っている間に、読み取り装置はその最新の位置（読み取り装置が交差しなければならないスパイラルトラックターンの数）に関するその動きを計算し、次いでＡ１およびＡ２間のアドレスが読み取り装置へ特定されるため、読み取り装置は適合アドレスを有する領域へ移動する。この場合、まずアドレスＡ１までのアドレス、次いでＡ１からＡ２までに適合アドレスの中のいずれか、次いでＡ２より大きいアドレスを検索し、その間に自身を一定に配置することよって、読み取り装置は第２トラック上に記録された適合アドレスを有するセクタへたどり着くことができる。第２トラックにおいてデータを判断し、検出し、次いで読み取ることの正確性を高めるため、第２シーケンスにおいてＡ１からＡ２のアドレスを有する各セクタは１つのチェックキャラクタまたは複数のチェックキャラクタを付与される。そして、読み取り装置が検索の過程においてその装置へ特定されたセクタからデータを読み取るとき、装置はチェックキャラクタの存在について常にデータを確認する。このキャラクタを検出すると、読み取り装置はデータを読み取る。
【００５１】
第２シーケンスのセクタのいずれかからデータを読み取る場合、媒体は同時に認識される。そして読み取り装置は、例えば、媒体が合法であるというメッセージを出すことができる。
【００５２】
産業上の利用可能性
本発明によれば特別な装置を用いることなくディスクの真正を検証でき、本発明はＣＤおよびＤＶＤディスクの製造において幅広く用いられることができる。
【手続補正書】
【提出日】平成16年5月18日(2004.5.18)
【手続補正１】
【補正対象書類名】特許請求の範囲
【補正対象項目名】請求項１
【補正方法】変更
【補正の内容】
【請求項１】
ファイルがデータを有するセクタの第１シーケンスを含み、そのセクタのアドレスが一連の自然数を表す、記録するためのデータファイルが形成される媒体に、データを記録する方法であって、
適切なアドレスを有する形成されたセクタの第１シーケンスをスパイラルトラックに記録するための方法であって、
データを有するセクタの少なくとも１つの第２シーケンスが形成され、該ファイルに記録された後、形成されたファイルが媒体に記録され、
第２シーケンスのセクタのアドレスは少なくとも部分的に第１シーケンスのセクタのアドレスと適合し、
適合アドレスの数は「ｃ」であり、また少なくともこれらのセクタのアドレスに相当するエリアにおけるスパイラルトラックの２つの隣接したターンに記録されたデータセクタの数と等しく、
第２シーケンスの第１セクタのアドレスが第１シーケンスの最終セクタのアドレスから該数値「ｃ」を引いたものと等しくなるように選択され、
該アドレスを有する第２シーケンスのセクタが、第１シーケンスのセクタのアドレスが記録された後に記録されることを特徴とする、方法。
【手続補正２】
【補正対象書類名】明細書
【補正対象項目名】０００７
【補正方法】変更
【補正の内容】
【０００７】
ＣＤ−ＲＯＭディスクに書き込まれた読み取り専用のデータを記録する方法は公知であり、それにより様々なチェック（キー）データが読み取りのためのデータに加えてディスクに書き込まれる。このキーデータは展開されて、読み取りのためのデータを復元するのに用いられるが、そのＣＤ−ＲＯＭディスクを複製しようとするとキーデータは消失する（国際公開第００／７４０５３号パンフレット、Ｇ１１  Ｂ  ２０／００、２０００年４月１３日；国際公開第００／６２２９３号パンフレット、Ｇ  １１  Ｂ  ２０／００、２０００年１０月１９日；および国際公開第００／２１０８６号パンフレット、Ｇ  １１  Ｂ  ２０／００、２０００年４月１３日）。
【国際調査報告】
2005509997.tif 000002
2005509997.tif 000003